(57)【要約】【課題】本発明は、接着力に優れ、塗膜及び防振ゴムの劣化を抑制できる接着層を備え、生産性に優れる懸架用コイルばね装置及び懸架用コイルばね装置の製造方法を目的とする。【解決手段】塗膜を有する圧縮コイルばね１０と、防振ゴム２０と、圧縮コイルばね１０と防振ゴム２０とを接合する接着層とを備え、前記接着層がシアノアクリレート系接着剤の硬化物である、懸架用コイルばね装置１。前記接着層は、効果促進剤をさらに有することが好ましい。【選択図】図１
2020029949.tif 000002
【特許請求の範囲】
【請求項１】
塗膜を有する圧縮コイルばねと、防振ゴムと、前記圧縮コイルばねと前記防振ゴムとを接合する接着層とを備え、
前記接着層がシアノアクリレート系接着剤の硬化物である、懸架用コイルばね装置。
【請求項２】
前記接着層は、硬化促進剤をさらに有する、請求項１に記載の懸架用コイルばね装置。
【請求項３】
請求項１又は２に記載の懸架用コイルばね装置の製造方法であって、
前記防振ゴムに窪みを設け、前記窪みに硬化促進剤を塗布し、その後に前記シアノアクリレート系接着剤を前記窪みに流し込み、硬化させる工程を有する、懸架用コイルばね装置の製造方法。
【発明の詳細な説明】
【技術分野】
【０００１】
本発明は、自動車等の車両の懸架機構に使用される懸架用コイルばね装置及び懸架用コイルばね装置の製造方法に関する。
【背景技術】
【０００２】
自動車等の車両の懸架機構には、圧縮コイルばねを備える懸架用コイルばね装置が用いられる。自動車の走行中に飛び石等が圧縮コイルばねに衝突すると、圧縮コイルばねが折損する原因となる。このため、圧縮コイルばねの表面は、塗膜によって保護されている。
【０００３】
懸架用コイルばね装置において、圧縮コイルばねは、振動を吸収するばね座によって保持されている。圧縮コイルばねとばね座との間に、砂等の異物が挟まれることがある。圧縮コイルばねの表面には塗膜が形成されているが、圧縮コイルばねとばね座との間に砂等の硬い異物が挟まった状態で圧縮コイルばねが伸縮すると、塗膜が剥がれて錆が生じたり、挟まった異物によって圧縮コイルばねの表面が傷ついたりすることがある。この傷に錆が生じ、錆が大きくなると、圧縮コイルばねが折損する原因となる。
【０００４】
圧縮コイルばねとばね座との間を保護することを目的に、特許文献１には、圧縮コイルばねに防振ゴムを取り付けた懸架用コイルばね装置が提案されている。特許文献１の懸架用コイルばね装置では、圧縮コイルばねと防振ゴムとは、接着剤によって接合されている。
【先行技術文献】
【特許文献】
【０００５】
【特許文献１】特開２０１５−１９０５３８号公報
【発明の概要】
【発明が解決しようとする課題】
【０００６】
しかしながら、圧縮コイルばねと防振ゴムとを接合する力（接着力）が弱いと、圧縮コイルばねと防振ゴムとの間に砂等の異物が入り込むおそれがある。
懸架用コイルばね装置の製造にあたっては、圧縮コイルばねと防振ゴムとを短時間で接合し、生産性を高めることが求められている。
加えて、圧縮コイルばねの表面の塗膜及び防振ゴムを劣化させることなく、圧縮コイルばねと防振ゴムとを接合することが求められている。
【０００７】
そこで、本発明は、接着力に優れ、塗膜及び防振ゴムの劣化を抑制できる接着層を備え、生産性に優れる懸架用コイルばね装置及び懸架用コイルばね装置の製造方法を目的とする。
【課題を解決するための手段】
【０００８】
鋭意検討を重ねた結果、本発明者等は、懸架用コイルばね装置の圧縮コイルばねと防振ゴムとを接合する接着剤として、シアノアクリレート系接着剤（いわゆる瞬間接着剤）を用いることで、上記課題を解決できることを見出した。
すなわち、本発明は、以下の構成を有する。
［１］塗膜を有する圧縮コイルばねと、防振ゴムと、前記圧縮コイルばねと前記防振ゴムとを接合する接着層とを備え、前記接着層がシアノアクリレート系接着剤の硬化物である、懸架用コイルばね装置。
［２］前記接着層は、硬化促進剤をさらに有する、前記［１］に記載の懸架用コイルばね装置。
［３］前記［１］又は［２］に記載の懸架用コイルばね装置の製造方法であって、前記防振ゴムに窪みを設け、前記窪みに硬化促進剤を塗布し、その後に前記シアノアクリレート系接着剤を前記窪みに流し込み、硬化させる工程を有する、懸架用コイルばね装置の製造方法。
【発明の効果】
【０００９】
本発明の懸架用コイルばね装置及び懸架用コイルばね装置の製造方法によれば、接着力に優れ、塗膜及び防振ゴムの劣化を抑制できる接着層を備え、生産性に優れる。
【図面の簡単な説明】
【００１０】
【図１】本発明の懸架用コイルばね装置の一実施形態を示す斜視図である。
【図２】図１に示すＩＩ−ＩＩ線断面図である。
【発明を実施するための形態】
【００１１】
＜懸架用コイルばね装置＞
本発明の懸架用コイルばね装置は、圧縮コイルばねと、防振ゴムと、接着層とを備える。
本発明の懸架用コイルばね装置の一実施形態について、以下に、図面を用いて詳細に説明する。なお、以下の説明で用いる図面は、特徴をわかりやすくするために、便宜上特徴となる部分を拡大して示している場合があり、各構成要素の寸法比率等が実際と同じであるとは限らない。
図１に示すように、本実施形態の懸架用コイルばね装置１は、圧縮コイルばね１０と、防振ゴム２０とを備える。圧縮コイルばね１０は、螺旋形に成形されており、第一の端末部分１０ａと、第二の端末部分１０ｂとを備える。
【００１２】
図２に示すように、第一の端末部分１０ａと、防振ゴム２０とは、接着層３０を介して接合している。第二の端末部分１０ｂは、ばね保持部材（不図示）内に収容され得る。懸架用コイルばね装置１は、特に自動車の懸架機構において使用可能であり、この場合、ダンパと協働して車両の鉛直方向運動を緩衝あるいは減衰する。
圧縮コイルばね１０には、素線（ワイヤ）１２を飛び石の衝突や腐食から保護する塗膜１４が形成されている。第一の端末部分１０ａの塗膜１４と、防振ゴム２０とは、接着層３０を介して接合している。
【００１３】
［圧縮コイルばね］
圧縮コイルばね１０は、素線１２と、素線１２の表面の塗膜１４とを備える。
素線１２は、断面が円形である。素線１２の素材としては、ばね鋼や、硬化処理されたばね鋼、繊維強化されたプラスチック等が挙げられる。
塗膜１４の素材としては、エポキシ系樹脂等が挙げられる。
【００１４】
［防振ゴム］
防振ゴム２０は、圧縮コイルばね１０の第一の端末部分１０ａの下端を含む領域に形成されている。防振ゴム２０は、圧縮コイルばね１０の外方の側面に沿って立ち上がるように形成されている。
防振ゴム２０は、ゴム弾性を有する材料からなる。防振ゴム２０の材料としては、天然ゴム、ブタジエンゴム、スチレンブタジエンゴム、イソプレンゴム、クロロプレンゴム、ニトリルゴム、ウレタンゴム等が挙げられる。
【００１５】
［接着層］
接着層３０は、圧縮コイルばね１０と防振ゴム２０とを接合する。接着層３０は、圧縮コイルばね１０と防振ゴム２０との間に位置する。
接着層３０は、シアノアクリレート系接着剤の硬化物である。本明細書において、硬化物とは、湿気硬化性樹脂の初期縮合物が水分等によって架橋して不溶不融となったものをいう。
【００１６】
シアノアクリレート系接着剤の成分としては、メチル−２−シアノアクリレート、エチル−２−シアノアクリレート、プロピル−２−シアノアクリレート、イソプロピル−２−シアノアクリレート、ｎ−ブチル−２−シアノアクリレート、イソブチル−２−シアノアクリレート、ｎ−ペンチル−２−シアノアクリレート、ｎ−ヘキシル−２−シアノアクリレート、シクロヘキシル−２−シアノアクリレート、ｎ−オクチル−２−シアノアクリレート、２−エチルヘキシル−２−シアノアクリレート、ベンジル−２−シアノアクリレート、ｎ−ブチル−２−シアノアクリレート、メトキシエチル−２−シアノアクリレート、メトキシプロピル−２−シアノアクリレート、エトキシエチル−２−シアノアクリレート等が挙げられる。
これらの成分は、１種を単独で用いてもよく、２種以上を併用してもよい。
これらの成分のうち、粘度が低く、接着性に優れる観点から、メチル−２−シアノアクリレート、エチル−２−シアノアクリレート、イソプロピル−２−シアノアクリレートが好ましく、メチル−２−シアノアクリレートがより好ましい。
【００１７】
シアノアクリレート系接着剤の粘度は、１〜１５００ｍＰａ・ｓが好ましく、１００〜１５００ｍＰａ・ｓがより好ましく、３００〜１０００ｍＰａ・ｓがさらに好ましい。シアノアクリレート系接着剤の粘度が上記下限値以上であると、圧縮コイルばね１０又は防振ゴム２０に接着剤を塗布しやすい。シアノアクリレート系接着剤の粘度が上記上限値以下であると、接着剤を取り扱いやすい。
本明細書において、シアノアクリレート系接着剤の粘度は、ＪＩＳ  Ｋ６８６１に準じて測定される値である。
【００１８】
接着層３０の厚さは、５〜３０００μｍが好ましく、５〜１０００μｍがより好ましい。接着層３０の厚さが上記下限値以上であると、圧縮コイルばね１０と防振ゴム２０とが充分に接合しやすい。接着層３０の厚さが上記上限値以下であると、接着層３０の強度を向上しやすい。
【００１９】
接着層３０は、タック性を有しないことが好ましい。タック性とは、物質の表面に生じるべたつきのことをいう。接着層３０がタック性を有しないと、砂等の異物の付着を抑制しやすい。タック性は、例えば、接着層３０の表面に粘着テープを貼付し、粘着テープを剥がすときの力を計測することにより評価できる。
【００２０】
シアノアクリレート系接着剤は、硬化促進剤と併用することが好ましい。シアノアクリレート系接着剤は、硬化促進剤と併用することで、圧縮コイルばね１０と防振ゴム２０とを、より短時間で強力に接合できる。
硬化促進剤としては、２−アミノ−１−メチルベンゼン（ｏ−トルイジン）、３−アミノ−１−メチルベンゼン（ｍ−トルイジン）、４−アミノ−１−メチルベンゼン（ｐ−トルイジン）、アセトン、シクロペンタン、エタノール等が挙げられる。
硬化促進剤は、１種を単独で用いてもよく、２種以上を併用してもよい。
【００２１】
＜懸架用コイルばね装置の製造方法＞
本発明の懸架用コイルばね装置１の製造方法は、素線１２に塗膜１４を形成する工程と、圧縮コイルばね１０と防振ゴム２０とを接合する工程とを有する。
素線１２に塗膜１４を形成する工程としては、素線１２をリン酸亜鉛処理し、次いで塗膜１４の材料となるコーティング材料を塗装し、乾燥する工程（シングルコーティング）が挙げられる。素線１２に塗膜１４を形成する工程としては、ダブルコーティングも使用可能である。ダブルコーティングは、リン酸亜鉛層上に薄い基層（ベースコート）を付着し、その後基層よりも厚い外層（トップコート）を付着する工程である。
コーティング材料としては、エポキシ粉体塗料等が挙げられる。
【００２２】
素線１２に塗膜１４を形成する工程により、素線１２の表面に塗膜１４が形成された圧縮コイルばね１０が得られる。
【００２３】
圧縮コイルばね１０と防振ゴム２０とを接合する工程としては、防振ゴム２０に窪みを設け、シアノアクリレート系接着剤と必要に応じて硬化促進剤とを前記窪みに塗布又は流し込み、前記窪みに圧縮コイルばね１０をはめ込み、硬化させる工程が挙げられる。
シアノアクリレート系接着剤を用いた場合、室温（１〜３０℃）で接着剤が硬化するため、圧縮コイルばね１０の表面の塗膜１４及び防振ゴム２０を劣化させることなく、圧縮コイルばね１０と防振ゴム２０とを接合できる。
【００２４】
本発明の懸架用コイルばね装置１の製造方法は、防振ゴム２０に窪みを設け、前記窪みに硬化促進剤を塗布し、その後にシアノアクリレート系接着剤を前記窪みに流し込み、硬化させる工程を有することが好ましい。
防振ゴム２０の窪みに硬化促進剤をあらかじめ塗布しておくと、シアノアクリレート系接着剤を硬化させるときに、圧縮コイルばね１０と防振ゴム２０とをより短時間で強力に、かつ、綺麗に接合しやすい。
【００２５】
圧縮コイルばね１０と防振ゴム２０とを接合する工程に要する時間は、１５秒以下が好ましい。圧縮コイルばね１０と防振ゴム２０とを接合する工程に要する時間が上記上限値以下であると、懸架用コイルばね装置１の生産性を向上しやすい。圧縮コイルばね１０と防振ゴム２０とを接合する工程に要する時間は、シアノアクリレート系接着剤を硬化する観点から、例えば、５秒以上が好ましい。
【００２６】
圧縮コイルばね１０と防振ゴム２０とを接合する工程により、圧縮コイルばね１０と防振ゴム２０との間に接着層３０が位置する懸架用コイルばね装置１が得られる。
【００２７】
以上説明したように、本実施形態の懸架用コイルばね装置１によれば、接着層３０がシアノアクリレート系接着剤の硬化物であるため、圧縮コイルばね１０と防振ゴム２０との接着力を高めることができる。
加えて、シアノアクリレート系接着剤を用いているため、圧縮コイルばね１０と防振ゴム２０とを短時間で接合することができる。
さらに、シアノアクリレート系接着剤は、室温で硬化するため、塗膜１４及び防振ゴム２０を劣化させることなく、圧縮コイルばね１０と防振ゴム２０とを接合することができる。
その上、シアノアクリレート系接着剤は、溶媒を含まないため、気泡の発生が抑制され、より強固に圧縮コイルばね１０と防振ゴム２０とを接合できる。
【００２８】
なお、本発明の技術的範囲は前記実施の形態に限定されるものではなく、本発明の趣旨を逸脱しない範囲において種々の変更を加えることが可能である。
【００２９】
例えば、前記実施形態では、圧縮コイルばね１０は、円筒コイルばねであるが、車両の仕様に応じて、たる型コイルばね、鼓型コイルばね、テーパコイルばね、不等ピッチコイルばね、その他のばね等、種々の形態の圧縮コイルばねであってもよい。
【００３０】
なお、本発明を実施するに当たって、圧縮コイルばねの素線の具体的な形状や寸法、巻き数、材料、ばね定数をはじめとして、圧縮コイルばねを構成する素線や、防振ゴムの形状や寸法、配置等を種々に変更して実施してもよい。
また、本発明は、自動車以外の車両の懸架機構に適用することもできる。
【００３１】
その他、本発明の趣旨を逸脱しない範囲で、前記した実施の形態における構成要素を周知の構成要素に置き換えることは適宜可能であり、また、前記した変形例を適宜組み合わせてもよい。
【符号の説明】
【００３２】
１  懸架用コイルばね装置
１０  圧縮コイルばね
１０ａ  第一の端末部分
１０ｂ  第二の端末部分
１２  素線
１４  塗膜
２０  防振ゴム
３０  接着層
【図１】
2020029949.tif 000003
【図２】
2020029949.tif 000004